(57)【要約】【課題】フィルタの表面積を保ちつつ梱包時に要するスペースを低減することができるためのフィルタフレーム、フィルタおよび空気調和機を提供する。【解決手段】フィルタフレーム１６０は、空気を清浄するために用いられるフィルタフレームであって、フレーム部１６２と、連結部１６５とを備える。フレーム部１６２は、第１フレーム部材１６３と、第２フレーム部材１６４とを有する。第１フレーム部材１６３は、第一端部１６３ａを含む。第２フレーム部材１６４は、第２端部１６４ａを含む。さらに、このフレーム部１６２では、第１端部１６３ａと第２端部１６４ａとが隣接している。連結部１６５は、回転軸Ａを中心に第１フレーム部材１６３が第２フレーム部材１６４に対して回転自在であるように第１端部１６３ａと第２端部１６４ａとを連結する。この回転軸Ａは、第１端部１６３ａおよび第２端部１６４ａに沿って延びている。さらに、回転軸Ａに直交する平面で切断された第１フレーム部材１６３の断面が湾曲している。【選択図】　　　　図４
2004116971.tif 000002
【特許請求の範囲】
【請求項１】
空気を清浄するために用いられるフィルタフレームであって、
第１端部（１６３ａ）を含む第１フレーム部材（１６３）と第２端部（１６４ａ）を含む第２フレーム部材（１６４）とを有し、前記第１端部（１６３ａ）と前記第２端部（１６４ａ）とが隣接するフレーム部（１６２）と、
前記第１端部（１６３ａ）および前記第２端部（１６４ａ）に沿って延びる回転軸（Ａ）を中心に前記第１フレーム部材（１６３）が前記第２フレーム部材（１６４）に対して回転自在であるように前記第１端部（１６３ａ）と前記第２端部（１６４ａ）とを連結する連結部（１６５）と、
を備え、
前記回転軸（Ａ）に直交する平面で切断された前記第１フレーム部材（１６３）の断面が湾曲している、
フィルタフレーム（１６０）。
【請求項２】
前記第２フレーム部材（１６４）の前記第２端部（１６４ａ）の近傍が、前記第１フレーム部材（１６３）の前記第１端部（１６３ａ）の近傍と同方向に湾曲している、
請求項１に記載のフィルタフレーム（１６０）。
【請求項３】
前記第２フレーム部材（１６４）に対する前記第１フレーム部材（１６３）の回転を所定の回転角度で保持する保持部（１６６）をさらに備える、
請求項１または２に記載のフィルタフレーム（１６０）。
【請求項４】
前記保持部（１６６）は、前記第２フレーム部材（１６４）に対する前記第１フレーム部材（１６３）の湾曲凹側向きの回転を所定の回転角度で保持する、
請求項１から３のいずれかに記載のフィルタフレーム（１６０）。
【請求項５】
前記保持部（１６６）は、前記第２フレーム部材（１６４）に対する前記第１フレーム部材（１６３）の湾曲凸側向きの回転を所定の回転角度で保持する、
請求項１から３のいずれかに記載のフィルタフレーム。（１６０）
【請求項６】
請求項１から５のいずれかに記載のフィルタフレーム（１６０）と、
前記フィルタフレーム（１６０）に支持され、空気を清浄するための空気清浄部（１６１）と、
を備えるフィルタ（１６）。
【請求項７】
調和された空気を室内に供給するための空気調和機であって、
前記室内の空気を吸い込む吸い込み部（１２）と、
前記吸い込み部（１２）により吸い込まれる空気を調和する空気調和部（１１）と、
前記吸い込み部（１２）により発生する空気の流れの前記空気調和部（１１）より上流側に設けられる請求項６に記載のフィルタ（１６）と、
を備える空気調和機（１）。
【発明の詳細な説明】
【０００１】
【発明の属する技術分野】
本発明は、フィルタフレーム、フィルタおよび空気調和機、特に、空気を清浄するためのフィルタフレーム、フィルタおよび空気調和機に関する。
【０００２】
【従来の技術】
従来から、ビルや住宅等において調和された空気を室内に送風することにより、室内の快適性を向上させる空気調和機が知られている。例えば、エアコンは、温風や冷風を室内に送風することにより、室内を快適な温度に保つことができる。
【０００３】
近年、このような空気調和機に集塵機能を付加した空気調和機が提案されている（例えば、特許文献１参照）。この空気調和機は、室内の空気を取り込み、取り込んだ空気中に含まれる塵や埃などの微粒子を分離および除去する。その後、空気調和機は、これらの微粒子が除去された清浄な空気を調和し、調和された空気を室内に送風する。このようにして、空気調和機は、室内の空気を清浄に保ち、室内の快適性を向上させる。例えば、エアコンでは、室内機の内部に空気清浄用のフィルタをエアコンの前面パネルと熱交換器との間に設けている。エアコンは、このフィルタにより室内機内に取り込む空気を清浄している。
【０００４】
【特許文献１】
特開平９−１２２４２２号公報
【０００５】
【発明が解決しようとする課題】
このような空気清浄用のフィルタとしては、空気清浄効率を高めるために表面積の広いフィルタが用いられることが望ましい。このため、前面パネルの形状が湾曲している場合には、フィルタを湾曲させて表面積を広く保っている。しかし、このようなフィルタを単体で梱包して運搬する際には、フィルタが湾曲しているので、フィルタの形状が平面である場合に比べて大きなスペースが必要となっている。また、梱包時に必要なスペースを低減させるためにフィルタの形状を平面にすると、空気を清浄にするために必要とされるフィルタの表面積を保つことができない場合がある。
【０００６】
そこで、本発明では、フィルタの表面積を保ちつつ梱包時に要するスペースを低減することができるためのフィルタフレーム、フィルタおよび空気調和機を提供することを目的とする。
【０００７】
【課題を解決するための手段】
請求項１に記載のフィルタフレームは、空気を清浄するために用いられるフィルタフレームであって、フレーム部と、連結部とを備える。フレーム部は、第１フレーム部材と、第２フレーム部材とを有する。第１フレーム部材は、第一端部を含む。第２フレーム部材は、第２端部を含む。さらに、このフレーム部では、第１端部と第２端部とが隣接している。連結部は、回転軸を中心に第１フレーム部材が第２フレーム部材に対して回転自在であるように第１端部と第２端部とを連結する。この回転軸は、第１端部および第２端部に沿って延びている。さらに、回転軸に直交する平面で切断された第１フレーム部材の断面が湾曲している。
【０００８】
このフィルタフレームでは、第１フレーム部材が湾曲している。このため、フィルタフレームが平面である場合と比べて、表面積を大きくとることができる。さらに、このフィルタフレームでは、第１フレーム部材を第２フレーム部材に対して回転軸を中心に回転させることができる。また、第１フレーム部材は、湾曲している。ここで、第１フレーム部材が回転する前のフィルタフレームの形状において、回転軸に直交する平面で切断されるフィルタフレームの断面を囲む最小の長方形の面積を以下「Ｓ１」とする。また、第１フレーム部材が第２フレーム部材に対して回転した後のフィルタフレームの形状において、回転軸に直交する平面で切断される第１フレーム部材の断面を囲む最小の長方形の面積を以下「Ｓ２」とする。そして、Ｓ１とＳ２との大きさを比較すると、Ｓ２がＳ１より小さくなる。このため、梱包時にフィルタフレームが必要とするスペースが低減される。
【０００９】
請求項２に記載のフィルタフレームは、請求項１に記載のフィルタフレームであって、第２フレーム部材の第２端部の近傍が、第１フレーム部材の第１端部の近傍と同方向に湾曲している。
つまり、ここでは、第２フレーム部材から第１フレーム部材にかけての湾曲の途中に連結部が設けられることとなる。このため、第１フレーム部材が回転することにより、Ｓ２がＳ１よりさらに小さくなる。このため、梱包時にフィルタフレームが必要とするスペースがさらに低減される。
【００１０】
請求項３に記載のフィルタフレームは、請求項１または２に記載のフィルタフレームであって、連結部が、保持部を有する。保持部は、第２フレーム部材に対して回転する第１フレーム部材を所定の角度で保持する。
つまり、ここでは、保持部により第１フレーム部材の回転が保持されるので、保持部が保持する第１フレーム部材の回転角度を適切に設定すれば、フィルタフレームの形状を保持することができる。
【００１１】
請求項４に記載のフィルタフレームは、請求項１から３のいずれかに記載のフィルタフレームであって、保持部は、第２フレーム部材に対する第１フレーム部材の湾曲凹側向きの回転を所定の回転角度で保持する。
つまり、ここでは、保持部により第１フレーム部材の湾曲凹側向きへの回転が所定の回転角度で保持される。このため、保持部が保持する第１フレーム部材の湾曲凹側向きへの回転角度を適切に設定すれば、フィルタフレームの形状を保持することができる。
【００１２】
請求項５に記載のフィルタフレームは、請求項１から４のいずれかに記載のフィルタフレームであって、保持部は、第２フレーム部材に対する第１フレーム部材の湾曲凸側向きの回転を所定の回転角度で保持する。
つまり、ここでは、保持部により第１フレーム部材の湾曲凸側向きへの回転が所定の回転角度で保持される。このため、保持部が保持する第１フレーム部材の湾曲凹側向きへの回転角度を適切に設定すれば、フィルタフレームの形状を保持することができる。
【００１３】
請求項６に記載のフィルタは、フィルタフレームと、空気清浄部とを備える。フィルタフレームは、請求項１から５のいずれかに記載のフィルタフレームである。空気清浄部は、フィルタフレームに支持される空気を清浄するためのものである。この空気清浄部としては、フィルタフレームに貼られる濾材（静電フィルタ、光触媒フィルタ等を含む）、イオンにより脱臭を行う装置、およびこれらを稼働させる装置などがある。
【００１４】
このフィルタでは、第１フレーム部材が湾曲している。このため、フィルタフレームが平面である場合と比べて、表面積を大きくとることができる。また、Ｓ２がＳ１より小さくなる。このため、梱包時にフィルタフレームが必要とするスペースが低減される。
請求項７に記載の空気調和機は、調和された空気を室内に供給するための空気調和機であって、吸い込み部と、空気調和部と、フィルタとを備える。吸い込み部は、室内の空気を吸い込む。空気調和部は、吸い込み部により吸い込まれる空気を調和する。フィルタは、吸い込み部により発生する空気の流れの空気調和部より上流側に設けられる請求項６に記載のフィルタである。
【００１５】
この空気調和機では、室内の空気が、吸い込み部により空気調和機内に吸い込まれる。この空気は、空気調和部に到達する前に、フィルタを通過し、清浄される。そして、この清浄された空気が、空気調和部により調和される。
ここでは、第１フレーム部材が湾曲しているため、フィルタフレームが平面である場合と比べて、表面積を大きくとることができる。また、Ｓ２がＳ１より小さくなる。このため、梱包時にフィルタフレームが必要とするスペースが低減される。
【００１６】
【発明の実施の形態】
＜空気調和機の構成＞
図１に本発明の一実施の形態が採用される空気調和機１の外観図を示す。
空気調和機１は、冷暖房や除湿などが行われた調和空気を室内に送風し、室内の空気の調和を行う装置である。この空気調和機１は、室内の壁面上部に取り付けられる室内機２と、室外に設置される室外機３と備えている。室外機３は、室外熱交換器や室外ファンなどを収納する室外空調ユニット５を備えている。
【００１７】
室内機２内には室内熱交換器が収納され、室外空調ユニット５内には室外熱交換器が収納されており、各熱交換器およびこれらの熱交換器を接続する冷媒配管６が、冷媒回路を構成している。
空気調和機１で用いられる冷媒回路の系統図を図２に示す。
室内機２内には、室内熱交換器１１が設けられている。この室内熱交換器１１は、長さ方向両端で複数回折り返されている伝熱管と、伝熱管が挿し通される複数のフィンとから構成される。この室内熱交換器１１は、接触する空気との間で熱交換を行う。
【００１８】
また、室内機２内には、クロスフローファン１２が設けられている。このクロスフローファン１２は、室内の空気を吸い込むとともに、室内熱交換器１１との間で熱交換を行った後の空気を室内に吹き出す。クロスフローファン１２は、円筒形状に構成され、周面には回転軸方向に羽根が設けられている。そして、クロスフローファン１２は、回転軸と交わる方向に空気流を生成する。このクロスフローファン１２は、室内機２内に設けられるファンモータ１３によって回転駆動される。
【００１９】
室外空調ユニット５には、圧縮機２１と、四路切換弁２２と、アキュムレータ２３と、室外熱交換器２４と、減圧器２５とが設けられている（図２参照）。四路切替弁２２は、圧縮機２１の吐出側に接続される。アキュムレータ２３は、圧縮機２１の吸入側に接続される。室外熱交換器２４は、四路切換弁２２に接続される。減圧器２５は、室外熱交換器２４に接続された電動膨張弁である。また、減圧器２５は、フィルタ２６および液閉鎖弁２７を介して配管３１に接続されており、配管３１を介して室内熱交換器１１の一端と接続される。さらに、四路切換弁２２は、ガス閉鎖弁２８を介して配管３２に接続されており、この配管３２を介して室内熱交換器１１の他端と接続されている。この配管３１，３２は図１の冷媒配管６に相当する。
【００２０】
図３に、室内機２のＡ−Ａ断面図を示す。室内機２には、さらに、室内の空気を空気調和機１内に取り込むための吸い込み口１４が設けられている（図１参照）。さらに、室内機２内には、吸い込み口１４と室内熱交換器１１との間に、エアフィルタ１５と空気清浄フィルタ１６とが設けられている。エアフィルタ１５は、空気調和機１内に取り込まれる室内の空気中に含まれる比較的大きい埃や塵などを濾し取る。空気清浄フィルタ１６は、エアフィルタ１５によって濾しきれない花粉や塵などの空気中の微粒子を濾し取る。空気清浄フィルタ１６は、クロスフローファン１２により発生される空気流れの室内熱交換器１１より上流側に設けられている。
【００２１】
図４に、空気清浄フィルタ１６の斜視図を示す。この空気清浄フィルタ１６は、フィルタフレーム１６０とフィルタ濾材１６１とを備えている。フィルタフレーム１６０は、フィルタ濾材１６１が装着される空気清浄フィルタ１６の枠材である。このフィルタフレーム１６０は、フレーム部１６２とヒンジ部１６５とリブ部１６６とを有する。フレーム部１６２は、全体として湾曲しており、主に回動部１６３と固定部１６４とから構成される。回動部１６３の第１端部１６３ａと固定部１６４の第２端部１６４ａとは、隣接している。さらに、軸Ａが第１端部１６３ａと第２端部１６４ａとに沿って延びている。軸Ａに直行する平面で切断される回動部１６３の断面は湾曲している（図５参照）。ヒンジ部１６５は、回動部１６３が軸Ａを中心に回転自在であるように第１端部１６３ａと第２端部１６４ａとを連結している。さらに、第１端部１６３ａの近傍と第２端部１６４ａの近傍とは、同方向に湾曲している。リブ部１６６は、主に凹側リブ１６７から構成される。凹側リブ１６７は、フレーム部１６２の湾曲凹側に設けられ、回動部凹側リブ１６８と固定部凹側リブ１６９とから構成される。回動部凹側リブ１６８と固定部凹側リブ１６９とは、回動部１６３が湾曲凹側に回転することにより、当接する。このため、凹側リブ１６７は、固定部１６４に対する回動部１６３の湾曲凹側方向の回転を所定の回転角度で保持する。フィルタ濾材１６１は、エアフィルタ１５によって濾しきれない花粉や塵などの空気中の微粒子を濾し取り、空気を清浄する。フィルタ濾材１６１としては、静電フィルタ、光触媒フィルタなどがある。また、フィルタ濾材には、これらのフィルタを機能させるための装置なども含まれる。
【００２２】
上記構成により、空気調和機１では、室内機２内に室内の空気を吸い込み、これらの空気を清浄して、室内に送風している。
＜本空気調和機の特徴＞
（１）
この空気調和機１では、回動部１６３を固定部１６４に対して回転させることができる。このため、回動部１６３を固定部１６４に対して回転させると、回動部１６３を回転させない場合と比べて平面で切断されるフィルタフレーム１６０の断面を囲む最小の長方形の面積が小さくなる（図５および図６参照）。したがって、空気調和機１にフィルタ１６を装着する際には、回動部凹側リブ１６８と固定部凹側リブ１６９とを当接させることにより、フィルタ１６を湾曲形状にして表面積を広くとることができる。また、フィルタ１６の運搬時などには、回動部１６３を湾曲凸側に回転させることにより、フィルタ１６の要するスペースを低減することができる。つまり、このフィルタフレーム１６０を梱包する際にフィルタフレーム１６０が要するスペースが低減される。
【００２３】
（２）
この空気調和機１では、固定部１６４から回動部１６３にかけての湾曲の途中にヒンジ部１６５が設けられている。このため、回動部１６３が固定部１６４に対して回転することにより、回動部１６３のみが湾曲している場合と比べて、平面で切断されるフィルタフレーム１６０の断面を囲む最小の長方形の面積がさらに小さくなる。その結果、梱包時にフィルタフレーム１６０が要するスペースがさらに低減される。
【００２４】
（３）
この空気調和機１では、回動部１６３が固定部１６４に対して湾曲凹側に回転することにより、回動部凹側リブ１６８と固定部凹側リブ１６９とが当接する。このため、凹側リブ１６７により、回動部１６３の湾曲凹側への回転が所定の角度で保持される。その結果、フィルタフレーム１６０を室内機２に装着する際に必要とされるフィルタフレーム１６０の形状を保持することができる。
【００２５】
（他の実施の形態）
（ａ）
上記実施の形態では、本発明の一実施の形態が空気調和機１の空気清浄フィルタ１６に採用されている。これに代えて（加えて）、本発明を空気調和機１のエアフィルタに採用しても良い。
【００２６】
（ｂ）
上記実施の形態では、フレーム部１６２の湾曲凹側に凹側リブ１６７を設けている。これに加えて、図７および図８に示すように、フレーム部２６２の湾曲凸側に凸側リブ２７０を設けても良い。この凸側リブ２７０は、フレーム部２６２の湾曲凸側に設けられ、回動部凸側リブ２７１と固定部凸側リブ２７２とから構成される。回動部凸側リブ２７１と固定部凸側リブ２７２とは、回動部２６３が湾曲凹側に回転することにより、当接する（図８参照）。このため、凸側リブ２７０は、固定部２６４に対する回動部２６３の湾曲凸側方向の回転を所定の回転角度で保持する。
【００２７】
このため、ここでは、フィルタフレーム２６０を梱包する際に必要とされるフィルタフレーム２６０の形状を保持することができる。
（ｃ）
上記実施の形態では、回動部１６３を空気調和機１に装着される状態から湾曲凸側に回転させることにより、フィルタフレーム１６０の要するスペースを低減している。これに代えて、図９および図１０に示されるように、回動部３６３を湾曲凹側に回転させることによりフィルタフレーム３６０の要するスペースを低減するようにフィルタフレーム３６０を構成してもよい。
【００２８】
具体的には、このフィルタフレーム３６０は、フレーム部３６２とヒンジ部３６５とリブ部１６６とを有する。フレーム部３６２は、回動部３６３と固定部３６４とから構成される。ヒンジ部３６５は、回動部３６３が軸を中心に回転自在であるように回動部３６３と固定部３６４とを連結している。リブ部３６６は、凸側リブ３７０と凹側リブ３６７から構成される。凸側リブ３７０は、フレーム部３６２の湾曲凸側に設けられ、回動部凸側リブ３７１と固定部凸側リブ３７２とから構成される。回動部凸側リブ３７１と固定部凸側リブ３７２とは、当接している。このため、凸側リブ３７０は固定部３６４に対する回動部３６３の湾曲凸側方向への回転を保持している（図９参照）。凹側リブ３６７は、フレーム部３６２の湾曲凹側に設けられ、回動部凹側リブ３６８と固定部凹側リブ３６９とから構成される。回動部凹側リブ３６８と固定部凹側リブ３６９とは、回動部３６３が湾曲凹側に回転することにより当接する。このため、凹側リブ３６７は、固定部３６４に対する回動部３６３の湾曲凹側方向の回転を所定の回転角度で保持する（図１０参照）。
【００２９】
（ｄ）
上記実施の形態では、フィルタフレーム１６０にヒンジ部１６５が一つ設けられている。これに代えて、図１１および図１２に示されるように、フィルタフレーム４６０に複数のヒンジ部を設けてもよい。
具体的には、このフィルタフレーム４６０は、フレーム部４６２とヒンジ部６６５とリブ部６６６とを有する。フレーム部４６２は、第１回動部４６３と第２回動部５６３と固定部４６４とから構成される。ヒンジ部６６５は、第１ヒンジ部４６５と第２ヒンジ部５６５とから構成される。第１ヒンジ部４６５は、第１回動部４６３が軸を中心に回転自在であるように第１回動部４６３と固定部４６４とを連結している。第２ヒンジ部５６５は、第２回動部５６３が軸を中心に回転自在であるように第２回動部５６３と固定部４６４とを連結している。リブ部６６６は、第１リブ部４６６と第２リブ部５６６とから構成される。第１リブ部４６６は、第１凸側リブ４７０と第１凹側リブ４６７から構成される。第１凸側リブ４７０は、フレーム部４６２の湾曲凸側に設けられ、第１回動部凸側リブ４７１と第１固定部凸側リブ４７２とから構成される。第１回動部凸側リブ３７１と第１固定部凸側リブ３７２とは、当接している。このため、第１凸側リブ４７０は固定部４６４に対する第１回動部４６３の湾曲凸側方向への回転を保持している（図１１参照）。第１凹側リブ４６７は、フレーム部４６２の湾曲凹側に設けられ、第１回動部凹側リブ４６８と第１固定部凹側リブ４６９とから構成される。第１回動部凹側リブ４６８と第２固定部凹側リブ４６９とは、第１回動部４６３が湾曲凹側に回転することにより当接する。このため、第１凹側リブ４６７は、固定部４６４に対する第１回動部４６３の湾曲凹側方向の回転を所定の回転角度で保持する（図１２参照）。第２リブ部５６６は、第２凸側リブ５７０と第２凹側リブ５６７から構成される。第２凸側リブ５７０は、フレーム部４６２の湾曲凸側に設けられ、第２回動部凸側リブ５７１と第２固定部凸側リブ３７２とから構成される。第２回動部凸側リブ５７１と第２固定部凸側リブ５７２とは、当接している。このため、第２凸側リブ５７０は固定部４６４に対する第２回動部５６３の湾曲凸側方向への回転を保持している（図１１参照）。第２凹側リブ５６７は、フレーム部４６２の湾曲凹側に設けられ、第２回動部凹側リブ５６８と第２固定部凹側リブ５６９とから構成される。第２回動部凹側リブ５６８と第２固定部凹側リブ５６９とは、第２回動部５６３が湾曲凹側に回転することにより当接する。このため、第２凹側リブ５６７は、固定部４６４に対する第２回動部５６３の湾曲凹側方向の回転を所定の回転角度で保持する（図１２参照）。
【００３０】
（ｅ）
上記実施の形態では、回動部凹側リブ１６８と固定部凹側リブ１６９とが当接することにより、フィルタフレーム１６０の形状を保持している。しかし、このように必ずしもリブが当接することによってフィルタフレームの形状が保持される必要はなく、少なくともフィルタフレームの形状を保持できればよい。
【００３１】
【発明の効果】
請求項１に記載のフィルタフレームでは、第１フレーム部材が湾曲している。このため、フィルタフレームが平面である場合と比べて、表面積を大きくとることができる。さらに、このフィルタフレームでは、第１フレーム部材を第２フレーム部材に対して回転軸を中心に回転させることができる。また、第１フレーム部材は、湾曲している。このため、Ｓ２がＳ１より小さくなる。このため、梱包時にフィルタフレームが必要とするスペースが低減される。
【００３２】
請求項２に記載のフィルタフレームでは、第２フレーム部材から第１フレーム部材にかけての湾曲の途中に連結部が設けられることとなる。このため、第１フレーム部材が回転することにより、Ｓ２がＳ１よりさらに小さくなる。このため、梱包時にフィルタフレームが必要とするスペースがさらに低減される。
請求項３に記載のフィルタフレームでは、保持部により第１フレーム部材の回転が保持されるので、保持部が保持する第１フレーム部材の回転角度を適切に設定すれば、フィルタフレームの形状を保持することができる。
【００３３】
請求項４に記載のフィルタフレームでは、保持部により第１フレーム部材の湾曲凹側向きへの回転が所定の回転角度で保持される。このため、保持部が保持する第１フレーム部材の湾曲凹側向きへの回転角度を適切に設定すれば、フィルタフレームの形状を保持することができる。
請求項５に記載のフィルタフレームでは、保持部により第１フレーム部材の湾曲凸側向きへの回転が所定の回転角度で保持される。このため、保持部が保持する第１フレーム部材の湾曲凹側向きへの回転角度を適切に設定すれば、フィルタフレームの形状を保持することができる。
【００３４】
請求項６に記載のフィルタでは、第１フレーム部材が湾曲している。このため、フィルタフレームが平面である場合と比べて、表面積を大きくとることができる。また、Ｓ２がＳ１より小さくなる。このため、梱包時にフィルタフレームが必要とするスペースが低減される。
請求項７に記載の空気調和機では、第１フレーム部材が湾曲しているため、フィルタフレームが平面である場合と比べて、表面積を大きくとることができる。また、Ｓ２がＳ１より小さくなる。このため、梱包時にフィルタフレームが必要とするスペースが低減される。
【図面の簡単な説明】
【図１】本発明の一実施の形態が採用される空気調和機の外観図。
【図２】冷媒系統図。
【図３】室内機のＩ−Ｉ断面図。
【図４】空気清浄フィルタの斜視図。
【図５】空気清浄フィルタの斜視図。
【図６】空気清浄フィルタの側面図。
【図７】本発明の他の実施の形態に係る空気清浄フィルタの側面図。
【図８】本発明の他の実施の形態に係る空気清浄フィルタの側面図。
【図９】本発明の他の実施の形態に係る空気清浄フィルタの側面図。
【図１０】本発明の他の実施の形態に係る空気清浄フィルタの側面図。
【図１１】本発明の他の実施の形態に係る空気清浄フィルタの側面図。
【図１２】本発明の他の実施の形態に係る空気清浄フィルタの側面図。
【符号の説明】
１　　　　　　　　空気調和機
１１　　　　　　　室内熱交換器（空気調和部）
１２　　　　　　　クロスフローファン（吸い込み部）
１６　　　　　　　空気清浄フィルタ（フィルタ）
１６０　　　　　　フィルタフレーム
１６１　　　　　　フィルタ濾材（空気清浄部）
１６２　　　　　　（フレーム部）
１６３　　　　　　回動部（第１フレーム部材）
１６３ａ　　　　　第１端部
１６４　　　　　　固定部（第２フレーム部材）
１６４ａ　　　　　第２端部
１６５　　　　　　ヒンジ部（連結部）
１６６　　　　　　リブ部（保持部）
Ａ　　　　　　　　回転軸
【図１】
2004116971.tif 000003
【図２】
2004116971.tif 000004
【図３】
2004116971.tif 000005
【図４】
2004116971.tif 000006
【図５】
2004116971.tif 000007
【図６】
2004116971.tif 000008
【図７】
2004116971.tif 000009
【図８】
2004116971.tif 000010
【図９】
2004116971.tif 000011
【図１０】
2004116971.tif 000012
【図１１】
2004116971.tif 000013
【図１２】
2004116971.tif 000014